(57)【要約】【課題】カイラルスメクチック液晶を用いた液晶表示装置において、主に大判化した際に顕著となる、面内電位ムラ起因の焼付き現象を軽減する。【解決手段】対向基板に対する電荷供給ポイント及び面積を、少なくともアクティブ素子を有するもう一方の基板における中央より走査信号供給端側に多くする。【選択図】　　　　図１
2004077845.tif 000002
【特許請求の範囲】
【請求項１】
カイラルスメクチック液晶と、該液晶に電圧を印加する一対の電極と、該液晶を挟持して対向すると共に少なくとも一方の対向面に該液晶を配向させるための一軸性配向処理が施された一対の基板であって少なくとも一方の基板に各画素に対応する電極に接続したアクティブ素子を有するものと、少なくとも一方の基板側に配置された偏光板とを備え、前記アクティブ素子を駆動する駆動回路によってアクティブマトリクス駆動されることによりアナログ階調表示を行う液晶素子の製造方法において、
該対向基板電位は、該アクティブ素子を有するもう一方の基板の駆動におけるフィードスルーにおける電圧分布と等しい、面内電位ムラを有することを、特徴とする液晶表示装置。
【請求項２】
請求項１に記載の液晶表示装置において、該対向基板に対する電圧供給方法は、該アクティブ素子を有するもう一方の基板の走査信号給電端側が電圧供給能力が高く成るべく、少なくとも、パネル中心部より走査信号給電端側に近い方が、該対向基板に対する給電点、及び給電面の接続抵抗が低くなる事を特徴とする液晶表示装置。
【請求項３】
請求項１に記載の液晶表示装置において、該対向基板に対する電圧供給方法は、該アクティブ素子を有するもう一方の基板の走査信号給電端側が電圧供給能力が高く成るべく、走査信号給電端側より給電すべく、該対向基板に対する給電点、及び給電面を配置する事を特徴とする液晶表示装置。
【請求項４】
請求項１に記載の液晶表示装置において、該液晶表示素子は、
電圧無印加時では、該液晶の平均分子軸が単安定化された第一の状態を示し、第一の極性の電圧印加時には、該液晶の平均分子軸は印加電圧の大きさに応じた角度で該単安定化された位置から一方の側にチルトし、該第一の極性とは逆極性の第二の極性の電圧印加時には、該液晶の平均分子軸は該単安定化された位置から第一の極性の電圧を印加したときとは逆側に、該第一の極性に対し小さい角度でチルトする液晶素子で有ることを特徴とする液晶表示装置。
【発明の詳細な説明】
【０００１】
【発明の属する技術分野】
本発明は、液晶表示装置の製造方法に関する。
【０００２】
【従来の技術】
近年、液晶表示素子はＰＣのモニタを初めとしてビデオカムコーダのビューファインダ、プロジェクタ等々様々な分野で製品化が果たされており、これらにの多くにはツイストネマチック液晶を用いている。しかしながら、ツイストネマチック液晶を用いた液晶表示素子には、応答速度の遅さ、視野角の狭さといった問題が存在している。
【０００３】
一方、カラー液晶表示素子の新たな方式としてカラーフィルタを用いないフィールドシーケンシャル方式が提案されている。これは赤（Ｒ）、緑（Ｇ）、青（Ｂ）の光源を順次点灯させて、これに合わせた画像を液晶パネルに表示させることで時間混色によってカラー表示を行うものである。フィールドシーケンシャル方式の場合は各色フィールドの間に確実に液晶応答が完了していなければ所望の色が表示出来なくなる為、液晶応答速度にはこれまで以上の高速性が求められる。
【０００４】
これらの問題を解決する液晶モードとして、例えば特開２０００−１００７６号公報や特開２０００−３３８４６４号公報で浅尾らが単安定モードの強誘電性液晶とアクティブマトリクス素子を組み合わせた方法を提案している。この単安定モード強誘電性液晶は、図７に示す片極性の電気光学特性を有する。両極性の電気光学特性を有するツイストネマチック液晶や特開平９−５００４９号公報で提案されている液晶は正極性電圧にも負極性電圧にもほぼ同様の光学応答を示し、このＶ−Ｔカーブの形からＶ字型と称されている。これに対して単安定モードの強誘電性液晶はＶ字を半分に切った形に見えることから片側Ｖ字液晶（モード）と称されている。以降、片側Ｖ字液晶と称する。
【０００５】
片側Ｖ字液晶の配向処理において、液晶材料のコレステリック（Ｃｈ）相からカイラルスメクチックＣ（Ｓｍ−Ｃ＊）相に転移する過程においてセル内の内部電位に偏りを持たせるような処理を施す必要があり、その中の一方法として、Ｃｈ−ＳｍＣ＊相転移の際に一対の基板間に正負いずれかのＤＣ電圧を印加する方法がある。この時印加する電圧の極性によって、片側Ｖ字液晶の電気光学特性は図３に示す関係になる。すなわち、Ｃｈ−ＳｍＣ＊相転移の際に負極性の電圧を印加した時には、正極性電圧を印加した時に大きくチルトし、負極性電圧を印加したときには小さくチルトする。Ｃｈ−ＳｍＣ＊相転移の際に正極性の電圧を印加した時には、正極性電圧を印加した時に小さくチルトし、負極性電圧を印加したときには大きくチルトする。
【０００６】
従って、Ｃｈ−ＳｍＣ＊相転移の際に全ての画素に同一極性の電圧を印加すれば、すべての画素の電気光学特性は略同一となり、特開２０００−２７５６８４号公報に記載されているように画素によってＣｈ−ＳｍＣ＊相転移の際に印加する電圧の極性を変えれば、各画素にＳｍＣ＊相転移の際に印加した電圧の極性によって各画素の電気光学特性は極性が異なる状態を得る。
【０００７】
ところで、ＴＦＴ液晶表示装置においては、フィードスルー電圧（または突き抜け電圧）や、対向基板電極の抵抗値、対向基板電極への給電点（トランスファー）の位置や数等々によって、ドレイン−対向基板電位（Ｖｃｏｍ）間、すなわち液晶への印加電圧にパネル内で分布が存在する。
【０００８】
図２は、ドレイン−Ｖｃｏｍ間のパネル内の電圧分布を説明する模式図である。図２は、ソース線に０Ｖを印加した時にドレイン−Ｖｃｏｍ間の電圧が０ＶになるときのＶｃｏｍの電圧値の分布を示している。
【０００９】
例えば、図２に示すようなドレイン−Ｖｃｏｍ間電圧の面内分布が存在する場合、液晶に印加される電圧が面内で分布を持ち、ひいては面内での透過率分布を生じさせる。つまり、例えばパネルの中心部に対し、対向電位を調整して合わせこんだ場合、パネルの中心部と、周辺部において、およそ±１００ｍＶ程度のＤＣ成分が印加される事となる。
【００１０】
そこで、これらの問題を生じさせない為に、ドレイン−Ｖｃｏｍ間の電圧を面内で完全に同一にする事が考えられる。しかしながら、パネル面内におけるドレイン−Ｖｃｏｍ間の電圧を完全に同一にする為には、面内でＶｃｏｍの電圧値を変える必要がある。しかしながら、Ｖｃｏｍの電圧を面内で変えることは困難である為、パネル面内において同一構成とした際に、ドレイン−Ｖｃｏｍ間の電圧は例えば、図２に示す面内分布が生じる。
【００１１】
液晶は一般に交流駆動が行われ、理想的には正極性電圧の絶対値と負極性電圧の絶対値が等しく印加される。しかしながら図２に示すようなドレイン−Ｖｃｏｍ間電圧の面内分布が存在すると、正極性電圧と負極性電圧の絶対値にズレが生じ、かつ、そのズレ量は面内で分布を持つ。これによりパネル周辺部においていわゆる焼付き現象が生じてしまう。
【００１２】
図３は、両側Ｖ字液晶の駆動シーケンスの一例を示すタイミングチャートである。両側Ｖ字液晶では１／６０ｓｅｃ毎に駆動電圧の極性が異なる。正極性電圧の絶対値と負極性電圧の絶対値が異なった場合、正極性フレームと負極性フレームで透過率が異なってしまい、３０Ｈｚのフリッカを生じさせてしまう。しかも、図２に示すようなドレイン−Ｖｃｏｍ間電圧の面内分布が存在する為、フリッカの程度にも面内分布が生じる。また、正極性電圧の絶対値と負極性電圧の絶対値が異なるということは、液晶にＤＣ成分が乗ってしまうということも意味する。液晶にＤＣ成分が乗ってしまうと、焼き付き等の問題が発生する。
【００１３】
図４は、片側Ｖ字液晶の駆動シーケンスの一例を示すタイミングチャートである。片側Ｖ字液晶では、両側Ｖ字液晶の６０Ｈｚ交流駆動と同等のフレーム周波数で駆動・表示する為には１つのフレームを表示フィールドと非表示フィールドに分け１２０Ｈｚのフィールド周波数で駆動するのが一般的である。この時、観察者には表示フィールドの絵（透過率）が６０Ｈｚのフレームレートで観察されるので、正極性電圧の絶対値と負極性電圧の絶対値が異なったとしても、いわゆる両側Ｖ字液晶で見られるような正極性フレームの透過率と負極性フレームの透過率との差によるフリッカは生じない。
【００１４】
ただし、正極性電圧の絶対値と負極性電圧の絶対値が異なった場合、液晶にＤＣ成分が乗ってしまうことについては片側Ｖ字液晶においても同様である。
【００１５】
とくに、ネマチック液晶に対し、自発分極を有するスメクチック液晶の場合、内部電位の偏りにより発生するイオンの偏在による影響が顕著であり焼き付き現象が発生しやすい事が検討により明らかになっている。
【００１６】
【発明が解決しようとする課題】
従って本発明は、スメクチック液晶を用いた表示素子において、中でも特に１Ｆｒａｍｅ内において同一極性表示を行う、片側Ｖ字液晶において、液晶表示パネルを大型化した再に発生する、ＤＣ成分に起因する周辺部の焼付き現象を、簡単な変更により軽減するものである。
【００１７】
【課題を解決する為の手段】
本発明における、パネル面内におけるＤＣ成分発生及び、ＤＣ成分発生分布低減方法は、カイラルスメクチック液晶と、該液晶に電圧を印加する一対の電極と、該液晶を挟持して対向すると共に少なくとも一方の対向面に該液晶を配向させるための一軸性配向処理が施された一対の基板であって少なくとも一方の基板に各画素に対応する電極に接続したアクティブ素子を有するものと、少なくとも一方の基板側に配置された偏光板とを備え、前記アクティブ素子を駆動する駆動回路によってアクティブマトリクス駆動されることによりアナログ階調表示を行う液晶素子において、Ｖｃｏｍ電圧（対向電位）の給電方法は、
前記アクティブ素子を駆動せしめる走査信号給電端と、対じするもう一方のパネル端において、少なくともその給電能力を走査信号給電側の方が高くなるように、Ｖｃｏｍ電圧給電点及び、給電面の接続抵抗値を調整し、パネル面内におけるＤＣ成分の発生を低減するものである。
【００１８】
つまり、幾つかの事が考えられるが、例えば、図３、及び図４に示されるように、走査信号として入力される駆動電圧により発生するフィードスルー分布が、走査信号給電点から離れるにつれ、小さくなった場合、例えば、Ｖｃｏｍ電位に分布が無かった場合にパネルのほぼ中心で、走査信号によるフィードスルーをキャンセルすべく調整を施した場合、パネル中心部より走査信号給電点に近い部分においては、負極方向のＤＣ成分が印加され、反対に、パネル中心部より走査信号給電点から遠い部分においては、正極側のＤＣ成分が印加されることが予想される。
【００１９】
そこで、Ｖｃｏｍ電圧（対向電位）の給電を、走査信号給電端と、対じするもう一方のパネル端において、少なくともその給電能力を走査信号給電側の方が高くなるように、Ｖｃｏｍ電圧給電点及び、給電面の接続抵抗値を調整することにより、例えば、走査信号として入力される駆動電圧により発生するフィードスルー分布と傾向の近い面内電圧分布を作りだし、その結果として、それぞれの面内電位ムラが相殺される事によりパネル面内におけるＤＣ成分の発生を低減する事が可能になるものと考える。
【００２０】
【発明の実施の形態】
本実施例においては、図５及び図６に示すアクティブマトリクス型液晶パネル（液晶素子）Ｐを作成した。
【００２１】
なお、基板１ａ，１ｂには厚さ１．１ｍｍのガラス基板を用い、それらには透明電極３ａ，３ｂを７００□厚のＩＴＯにて形成した。また、一方のガラス基板１ａにはＲＧＢのカラーフィルター（不図示）を形成した。そして、画面サイズは１４インチとし、画素数（すなわち、ＲＧＢの色画素（サブピクセル）によって構成される画素の数）は１０２４（横）×７４８（縦）とした。なおこのときサブピクセル数は３０７２（横）×７６８（縦）であった。（ゲートラインが横、ソースラインが縦）
さらに、アクティブ素子４にはａ−ＳｉＴＦＴを用い、該ＴＦＴ４のゲート絶縁膜５ｂには窒化シリコン膜３ｂを用いた。
【００２２】
また、配向制御膜６ａ，６ｂは、ポリイミド膜にて形成した。具体的には、市販のＴＦＴ用配向膜（日産化学社製のＳＥ７９９２）をスピンコート法により透明電極３ａ，３ｂを覆うように塗布し、その後、８０℃の温度で５分間の前乾燥を行い、さらに２００℃の温度で１時間の加熱焼成を施すことによって形成し、その膜厚を１５０Åとした。なお、これらの配向制御膜６ａ，６ｂには、コットン布によるラビング処理（一軸配向処理）を施した。このラビング処理には、外周面にコットン布を貼り合わせた径１０ｃｍのラビングロールを用い、押し込み量を０．７ｍｍ、送り速度を１０ｃｍ／ｓｅｃとし、回転数を１０００ｒｐｍ、送り回数を４回とした。なお、このときのラビング方向はゲート線に平行とした。
【００２３】
続いて、一方の基板上には、平均粒径１．５μｍのシリカビーズ（スペーサー）を散布し、さらに、図１に示されるように、対向電圧供給用の導電ペーストを走査信号給電端側の供給能力が高くなるよう、ペーストの数を調整した。
【００２４】
そして、各基板のラビング処理方向が互いにアンチパラレルとなるように貼り合わせ、均一な基板間隙のセルを得た。このとき、図１に示される、対向電圧供給用の導電ペーストの走査信号給電端側の直径は約１．５ｍｍであり、走査信号給電端から最も離れた導電ペーストの直径は約半分であった。
【００２５】
このようなプロセスで作製したセルに液晶組成物ＬＣ−１をＣｈ相の温度で注入し、液晶がカイラルスメクチック液晶相を示す温度まで冷却し（但し、冷却速度は１℃／ｍｉｎとした）、液晶がＣｈ相からＳｍＣ＊相に相転移する際に（Ｔｃ−２℃〜Ｔｃ＋２℃の温度範囲内で）パネル全面に対して−２Ｖのオフセット電圧（直流電圧）を印加して、液晶パネルＰ１を作製した。
【００２６】
こうして得られた液晶パネルＰ１の配向状態を偏光顕微鏡観測したところ、全面で一方向に揃った層方向（明細書中で述べた一つの層方向に単安定状態）に揃った状態が得られていた。
【００２７】
次に、液晶パネルＰ１を実際に駆動して動画質の評価を行った。なおこのときの駆動法は図４に示されるように１フレームを前半後半の２フィールドに分割し、前半フィールドではパネル全面に対して液晶層には正極性の電圧を印加し、後半フィールドではパネル全面に対して液晶層には負極性の電圧を印加するというフィールド反転駆動によって駆動した。
【００２８】
【発明の効果】
上記した図４に示される駆動条件で、特定の画像（白黒のチャートなどの固定パターン）を５時間程度連続表示させ焼付き耐久試験を行った。結果として、従来のパネル構成においては、パネル周辺部においては、一階調程度の焼付き現象が観測されたのに対し、パネル周辺部においても焼き付き現象は観測されなかった。
【００２９】
つまり、従来の構成においては、焼付き試験直後では、パネル周辺部においては、ＤＣ成分が発生した事による電圧−透過率特性のシフトが発生し、表示階調にズレが生じたが、パネル構成を最適化することで、パネル面内に発生していたＤＣ成分の発生を抑制した結果、パネルが大型化した際においても電圧−透過率特性のシフトが完全無くなり安定状態を保つ事が可能となり焼付き現象が抑制され信頼性が大きく向上したものと考えられる
【図面の簡単な説明】
【図１】本発明に係る第一の実施例の液晶素子の対向基板に対する、給電点を示す模式図である。
【図２】ドレイン−Ｖｃｏｍ間のパネル内の電圧分布を説明する模式図である。
【図３】両側Ｖ字液晶の駆動シーケンスの一例を示すタイミングチャートである。
【図４】片側Ｖ字液晶の駆動シーケンスの一例を示すタイミングチャートである。
【図５】発明に係る第一の実施例の液晶パネル構造を示す模式図である。
【図６】本発明に係る第一の実施例の液晶パネルの画素を示す模式図である。
【図７】本発明に係る第一の実施例の液晶素子の電気光学特性を示す図である。
【符号の説明】
１ａ、１ｂ　基板
３ａ、３ｂ　透明電極
６ａ、６ｂ　配向制御膜
【図１】
2004077845.tif 000003
【図２】
2004077845.tif 000004
【図３】
2004077845.tif 000005
【図４】
2004077845.tif 000006
【図５】
2004077845.tif 000007
【図６】
2004077845.tif 000008
【図７】
2004077845.tif 000009